(57)【要約】【課題】  壁パネル等のパネル体を床面等の作業面から所定高さ浮かせた状態で仮保持し、安全を確認した上で作業面上へパネル体を引き下ろすことのできるパネル体の受治具を提供する。【解決手段】  パネル受治具１は、作業面上を滑動する底面を備えた本体フレーム１１と、この本体フレーム１１の底面から延出されてパネル体２の下端部を受け、先端部に下がり勾配の傾斜面１２２が形成されたパネル受部１２と、本体フレーム１１に設けられてパネル受部１２の延出方向に出没しうる押出部１３と、本体フレーム１１に軸支されて、一端に押出部１３が連結されるとともに他端にレバーハンドル１５が取り付けられたリンクアーム１４とを備えている。押出部１３とリンクアーム１４との連結部は、本体フレーム１１に設けられたガイド溝１１ａに保持されている。【選択図】  図１
2005105666.tif 000002
【特許請求の範囲】
【請求項１】
パネル体を作業面から所定高さ持ち上げた状態で仮保持するパネル体の受治具であって、
作業面上を滑動しうる底面を備えた本体フレームと、この本体フレームの底面から延出されてパネル体の下端部を受け、少なくとも先端部に下がり勾配の傾斜面が形成されたパネル受部と、本体フレームに設けられてパネル受部の延出方向に出没しうる押出部と、本体フレームに軸支されて、一端に押出部が連結されるとともに他端に操作レバーが取り付けられたリンクアームとを備え、
押出部とリンクアームとの連結部が本体フレームに設けられた案内手段に保持され、前記操作レバーを操作してリンクアームを回動させることにより、リンクアームと押出部との連結部が案内手段に沿って摺動しつつ、押出部をパネル受部の先端方向に押し出すことを特徴とするパネル体の受治具。
【請求項２】
本体フレームの底面側には、パネル受部の延出方向に回動するローラその他の転動手段が設けられていることを特徴とする請求項１に記載のパネル体の受治具。
【発明の詳細な説明】
【技術分野】
【０００１】
本発明は、壁パネル等のパネル体を立設する際、パネル体を作業面から所定高さ浮かせた状態に仮保持して安全に作業を進めるためのパネル体の受治具に関する。
【背景技術】
【０００２】
一般に、床パネル、壁パネル等の建築用パネル材を使用して建物を構築していくパネル工法では、クレーンによってこれらの建築用パネル材を吊り上げて所定の場所へ搬送し、組み上げていく作業がなされる。特に、壁パネルを床面に立設する際には、作業者は、吊り下げられた壁パネルが適切な位置に搬送されるようにクレーンを誘導したり、複数人で補助したりする作業を行う。しかし、クレーン操作者からは吊り下げられた壁パネルの影になって作業者の姿が見えないことがあり、その作業者の手足が壁パネルと床面との間に挟まれてしまうおそれがあった。壁パネルを立設する際のこのような事故は、作業者各人の安全意識によって防止していた。
【０００３】
そこで本出願人は、かかる壁パネルの立設時に、壁パネルと床面との間にスペーサとなる治具を介在させて壁パネルを床面から持ち上げた状態で仮保持し、これにより作業者の手足が挟まれるのを防ぎつつ、安全性を十分に確認した上で治具を抜き取って壁パネルを床面に立設することが好ましいと考えた。
【０００４】
ところで、従来、壁パネルと床面との間に介在させてスペーサとする適当な治具はなく、例えば、バール状の工具や適当な厚みの板材等を挟み込むことで、壁パネルを床面から少し浮かせて対処するしかなかった。
【０００５】
また、このように、壁パネルと床面との間に所定間隔を設けるための装置として、特許文献１，２等には以下の技術が記載されている。
【０００６】
特許文献１では、壁パネルを載せる断面楕円形状の回転移動部材と、この回転移動部材に固定された回転操作レバーとからなる位置調整装置が提案されている。そして、回転移動部材の上に載置された壁パネルは、床面から所定高さ持ち上げられた状態で保持され、回転移動部材を回転操作することにより、壁パネルの幅方向及び高さ方向の位置調整が行われる。
【０００７】
また、特許文献２では、水平軸を支点として壁パネルを昇降自在に保持しうる保持体を備え、この保持体をジャッキにより押し上げる構成の保持装置が提案されている。所定の高さに持ち上げられた壁パネルは、天井面に突き付けて固定され、床面との間に生じた隙間は幅木で化粧される。
【特許文献１】特開平５−１４１０９６号公報
【特許文献２】特開平７−３２４４９３号公報
【発明の開示】
【発明が解決しようとする課題】
【０００８】
前記特許文献に記載の装置はいずれも、壁パネルを床面から少し浮かせた状態で固定してしまう場合に用いられ、その固定位置の調整を容易に行うためのものである。したがって、壁パネルと床面との間に挟み込まれた装置は、壁パネルが固定されてから抜き取ればよく、床面との間に隙間を設けずに壁パネルを立設するような場合には適さない。すなわち、固定されていない壁パネルと床面との間から、これらの装置をスムーズに抜き取ることは困難であり、壁パネルを立設するときの作業者の安全を考慮すれば、壁パネルを床面から持ち上げた状態で仮保持するだけでなく、保持した状態から、その装置を安全かつスムーズに抜き取って床面に壁パネルを立設することが必要とされる。
【０００９】
本発明は以上のような事情にかんがみて、壁パネル等のパネル体を床面等の作業面から所定高さ浮かせた状態で仮保持し、安全を確認した上で保持状態を解除し、作業面上へパネル体を引き下ろすことのできるパネル体の受治具を提供することを目的とする。
【課題を解決するための手段】
【００１０】
前記の課題を解決するため、本発明はパネル体を作業面から所定高さ持ち上げた状態で仮保持するパネル体の受治具であって、作業面上を滑動しうる底面を備えた本体フレームと、この本体フレームの底面から延出されてパネル体の下端部を受け、少なくとも先端部に下がり勾配の傾斜面が形成されたパネル受部と、本体フレームに設けられてパネル受部の延出方向に出没しうる押出部と、本体フレームに軸支されて、一端に押出部が連結されるとともに他端に操作レバーが取り付けられたリンクアームとを備えている。そして、これらの押出部とリンクアームとの連結部が、本体フレームに設けられた案内手段に保持され、前記操作レバーを操作してリンクアームを回動させることにより、リンクアームと押出部との連結部がガイド溝に沿って摺動しつつ、押出部をパネル受部の先端方向に押し出すことを特徴としている。
【００１１】
この発明により、パネル体の立設時、クレーン等により吊り下げられたパネル体をまずパネル受部に保持させることで、パネル体と作業面との間に所定間隔を確保することができ、これらの間に作業者の手足を挟むのを防ぐことができる。そして、作業者の安全を確認した上で、操作レバーを操作してパネル体を押出し、パネル体と作業面との間から受治具を引き抜くとともに、パネル体を作業面上へ下ろすことができる。
【００１２】
また、本発明に係るパネル体の受治具は、本体フレームの底面側に、パネル受部の延出方向に回動するローラその他の転動手段が設けられていることを特徴としている。これにより、パネル体と作業面との間から受治具を引き抜くとき、受治具が作業面上をより滑らかに移動することができるようになり、容易に引き抜くことが可能となる。
【発明の効果】
【００１３】
本発明のパネル体の受治具を使用してパネル体を立設することで、パネル体と作業面との間に適切な間隔が確保され、作業者の指先や足先がパネル体と作業面との間に挟まれるのを防ぐことができる。また、この受治具を、パネル体と作業面との間から引き抜くことも容易であるので、パネル体の設置作業中における安全確認を十分に行うことが可能となって、作業者の安全意識だけによることなく、余裕をもって作業が進められ、高い安全性と事故防止効果を得ることができる。
【発明を実施するための最良の形態】
【００１４】
以下、本発明を実施するための最良の形態について、図面を参照しつつ説明する。
【００１５】
図１及び図２は本発明に係るパネル体の受治具を示し、図１は受治具の側面図、図２は受治具の横断面図である。
【００１６】
このパネル体の受治具１は、鋼製の本体フレーム１１を有している。本体フレーム１１は略溝形状をなし、底面と、この底面から対向して立設された二側面とを有する。この本体フレーム１１の底面は、作業面上を滑動しうるように滑らかな平面で構成されている。また、本体フレーム１１の底面からはパネル受部１２が延出されている。
【００１７】
パネル受部１２は、断面中空の角パイプ状に形成された一対の受部１２１が所定間隔で薄板状の底面１２３に配置され、各受部１２１の天面側でパネル体２の下端部を受けるように構成されている。それぞれの受部１２１の延出方向の先端部には、下がり勾配の傾斜面１２２が設けられている。このパネル受部１２の延出長は、パネル体２の厚さよりも長く、例示の形態では本体フレーム１１の底面から約１８ｃｍ程度の長さとなるように形成されている。
【００１８】
また本体フレーム１１には、パネル受部１２の延出方向（図１における左右方向）に出没しうる押出部１３が設けられている。押出部１３は、中空パイプ等により形成された押出バー１３１の先端に、金属板材等により屈曲形成されて上片及び側片を有する当接部１３２が取り付けられてなる。この当接部１３２の上片には勾配が設けられて、当接部１３２の上部にパネル体２の下端部が載せられないようになっている。そして、この当接部１３２は、一対の受部１２１の間に配置されて、本体フレーム１１側と受部１２１の先端側との間を摺動して出没しうるように備えられている。なお、当接部１３２はパネル受部１２からパネル体２を押し出しうるように備えられていればよく、前記の構成に限定されるものではない。
【００１９】
さらに本体フレーム１１にはリンクアーム１４が設けられている。このリンクアーム１４は、側面視略「く」字状に形成され、その中央部を支軸１０１が直交して本体フレーム１１の両側面に回動可能に支持されている。リンクアーム１４の上端には、このリンクアーム１４を支軸１０１回りに回動操作するための操作レバーとしてレバーハンドル１５が取り付けられている。また、リンクアーム１４の下端側には長孔１４１が設けられている。
【００２０】
リンクアーム１４は、この長孔１４１を介して、押出部１３の押出バー１３１の基端部と連結されている。押出バー１３１には、基端部にナット１０２が取着されており、このナット部分が２枚の連結プレート１０３の間に挟み込まれて溶接等により固着されている。そして、各連結プレート１０３に形成された図示されない連結孔に摺動軸１０４が貫通し、ナット１０５等により締結されて、リンクアーム１４と押出部１３との連結部が形成されている。
【００２１】
この押出部１３とリンクアーム１４との連結部は、本体フレーム１１に設けられた案内手段に保持されている。例示の形態では、案内手段として、本体フレーム１１の両側面に一対のガイド溝１１ａが水平方向に形成されている。摺動軸１０４は、このガイド溝１１ａに係合されている。これにより、押出部１３とリンクアーム１４との連結部は、ガイド溝１１ａ内を水平方向に摺動可能とされ、押出部１３がパネル受部１２の延出方向に出没することができるようになっている。
【００２２】
かかる連結部の摺動動作は、リンクアーム１４に取り付けられたレバーハンドル１５によって操作される。すなわち、レバーハンドル１５を押し下げることで、支軸１０１回りにリンクアーム１４を回動させ、これにより、リンクアーム１４と押出部１３との連結部がガイド溝１１ａに沿って摺動しつつ、押出部１３をパネル受部１２の先端方向に押し出すことができる。
【００２３】
また、本体フレーム１１には、底面に延出されたパネル受部１２の反対側に、転動手段としてローラ１６が設けられている。ローラ１６は、本体フレーム１１の底面に設けられた２箇所の切欠きにそれぞれ収容され、パネル受部１２の延出方向に回動するように軸支されている。
【００２４】
これらのローラ１６は、本体フレーム１１の底面よりも若干、下方に突出しており、このローラ１６を作業面上に転動させることによって、本体フレーム１１及びパネル受部１２をパネル受部１２の延出方向に移動させることができる。
【００２５】
次に、このように構成された受治具１の使用方法を説明する。図３は受治具１を用いたパネル体２の立設時の様子を示す斜視図である。
【００２６】
受治具１はパネル体２の幅に合わせて複数個用意し、あらかじめ作業面３上のパネル体２を立設する位置に、均等に配置させるとともに、立設するパネル体２の幅方向に対して直交するように、パネル受部１２の延出方向を作業面３の外側に向けて載置する。このとき、押出部１３が本体フレーム１１側に引き込まれた状態となるように、レバーハンドル１５を垂直方向に直立させておく。
【００２７】
続いて、クレーンにより吊り下げられたパネル体２を、受治具１の近傍へ搬送する。ここで、作業者はクレーンで吊り下げられたパネル体２を、作業面３にあらかじめ固定されている接合金物３１にパネル体２の端部が嵌合しうる位置に誘導しつつ、パネル体２の下端部を各受治具１のパネル受部１２の天面に載せていく。これにより、パネル体２は押出部１３の当接部１３２とパネル受部１２とによって、作業面３からパネル受部１２の高さ分だけ持ち上げられた状態で仮保持されることになる。
【００２８】
こうしてパネル体２を受治具１に一旦保持させた後、作業者の手足がパネル体２と作業面３との間に挟まれないことを確認し、パネル体２と作業面３との間から受治具１を引き抜く作業に移る。すなわち、レバーハンドル１５を押し下げてリンクアーム１４と押出部１３との連結部をガイド溝１１ａに沿って摺動させ、押出部１３をパネル受部１２の先端方向に押し出す。これにより、パネル体２はパネル受部１２から押し出され、傾斜面１２２に沿ってスムーズに作業面３へと下ろされ、接合金物３１に嵌合して立設作業が完了する。
【００２９】
このように、本発明の受治具１を使用することで、パネル体２を立設するとき、パネル体２と作業面３との間に適切な間隔が確保されるので、作業者の指先や足先がパネル体２と作業面３との間に挟まれるのを防ぐことができ、パネル体２と作業面３との間から受治具１を引き抜いてパネル体２を作業面３上に立設することも容易であるので、作業者の安全意識だけによることなく安全性を確保して、パネル体２の立設作業を進めることできる。
【００３０】
なお、上記した形態において、受治具１にはリンクアーム１４を回動操作するための操作レバーとしてレバーハンドル１５が設けられているが、本発明はこれに限られず、足で踏み込むことにより操作可能とされるペダル形状の操作レバーが備えられていてもよい。また、上記した形態では、本体フレーム１１にローラ１６が設けられているが、かかる転動手段は本体フレーム１１が作業面上を十分に滑動しうる場合などには必ずしも必要とされない。
【産業上の利用可能性】
【００３１】
本発明のパネル体の受治具は、壁パネル等のパネル体等により建物を構築するパネル工法において、パネル体を作業面上に立設する際に作業面から所定高さ浮かせた状態で仮保持して、作業者の安全に配慮し、事故を防止するために利用することができる。
【図面の簡単な説明】
【００３２】
【図１】本発明に係るパネル体の受治具の側面図である。
【図２】図１の受治具の横断面図である。
【図３】本発明の受治具を使用してパネル体を立設する様子を示す斜視図である。
【符号の説明】
【００３３】
１    受治具
１１  本体フレーム
１１ａ  ガイド溝（案内手段）
１２  パネル受部
１３  押出部
１４  リンクアーム
１５  レバーハンドル（操作レバー）
１６  ローラ
２    パネル体
【図１】
2005105666.tif 000003
【図２】
2005105666.tif 000004
【図３】
2005105666.tif 000005